(57)【要約】【課題】本体ケース（２）内にガスバーナ（２１）が収容されていると共に、本体ケース（２）の上方開放部は天板（２０）によって閉塞されており、ガスバーナ（２１）の燃焼部（２１０）に対応する天板（２０）の所定位置には開口（２２）が形成されているガスコンロに関し、天板（２０）の清掃を容易とすること。【解決手段】開口（２２）は覆い蓋（１）によって閉塞され、覆い蓋（１）は、排気孔（１０）が設けられている開孔領域（１１）と、開孔領域（１１）の周辺に位置し且つ複数の鍋支持用隆起部（１５）が形成されている非開孔領域（１２）とからなり、開孔領域（１１）は鍋支持用隆起部（１５）よりも上方へ突出させない構成としたこと。【選択図】      図２
2005009791.tif 000002
【特許請求の範囲】
【請求項１】
本体ケース内にガスバーナが収容されていると共に、前記本体ケースの上方開放部は天板によって閉塞されており、前記ガスバーナの燃焼部に対応する前記天板の所定位置には開口が形成されているガスコンロにおいて、前記開口は覆い蓋によって閉塞され、
前記覆い蓋は、排気孔が設けられている開孔領域と、前記開孔領域の周辺に位置し且つ複数の鍋支持用隆起部が形成されている非開孔領域とからなり、
前記開孔領域は前記鍋支持用隆起部の上面よりも上方へ突出させない構成としたことを特徴とするガスコンロ。
【請求項２】
請求項１に記載のガスコンロにおいて、前記非開孔領域に、前記覆い蓋の最低域となる周囲低部が前記開孔領域を取り囲むように形成されているガスコンロ。
【請求項３】
請求項１又は２に記載のガスコンロにおいて、前記鍋支持用隆起部は、前記開孔領域の周辺近傍から前記覆い蓋の外周端にまで延びる土手状に構成されているガスコンロ。
【請求項４】
請求項１から３のいずれかに記載のガスコンロにおいて、前記天板の前記開口の周縁全域には段部が形成されており、前記段部上に、前記覆い蓋の周縁部分が載置されると共に、前記段部の高さは、前記周縁部分の肉厚に略一致するガスコンロ。
【請求項５】
請求項１から３のいずれかに記載のガスコンロにおいて、前記天板はガラス等のセラミックの板材からなり、
前記開口の周縁には、前記開口縁上面を覆う上板と、開口内周面を覆う内板と、開口縁下面を覆う下板と、前記開口内に水平に延びる支持板とからなる保護リングが周設され、
前記覆い蓋の周縁部分を前記支持板に係止させたとき、前記鍋支持用隆起部が前記保護リングの最上面よりも上方へ突出するように設定されているガスコンロ。
【発明の詳細な説明】
【０００１】
【発明の属する技術分野】
本発明はガスコンロ、特に、家庭用又は業務用のシステムキッチンやコンロ台等において用いられるガスコンロに関するものである。
【０００２】
【従来の技術】
図６に示すものは、従来のコンロ台に用いられるガスコンロであり、上方に開放する本体ケース（３）内にガスバーナ（３１）が収容されていると共に、前記本体ケース（３）の上方開放部は天板（３０）によって閉塞されている。前記ガスバーナ（３１）の下流端である燃焼部に対応する前記天板（３０）の各位置には、略矩形状の開口（３２）が形成されており、前記開口（３２）は、中央に前記燃焼部を露出させるための丸孔が形成された閉塞皿（３３）によって閉塞されている。そして、前記閉塞皿（３３）の上面外周域に五徳（３４）が載置されて使用される。
【０００３】
閉塞皿（３３）は、下方に抉れた皿状に構成されていると共に、五徳（３４）は、一般に、前記閉塞皿（３３）の周縁に沿って載置される連結枠（３６）と、前記連結枠（３６）上に等間隔に突設されて鍋底を支える複数の爪部（３５）とから構成されている。このように、従来のガスコンロの上面は、天板（３０）の上面に対して、閉塞皿（３３）の底面は低く抉れた位置にあり、五徳（３４）の爪部（３５）は上方へ高く突出しており、全体に凹凸が著しい形状となっている。
【０００４】
【特許文献】
特開平９−１７８１７９号公報
【０００５】
【発明が解決しようとする課題】
従来のガスコンロでは、上記したように、天板（３０）の上面、閉塞皿（３３）の底面、さらには、五徳（３４）との間に段差が生じているため、ガスコンロの上面は清掃しにくいといった問題があった。特に、五徳（３４）は、連結枠（３６）上に複数の爪部（３５）が閉塞皿（３３）の上方域に臨む態様で鋭く突出した複雑な形状に構成されているため、五徳（３４）を載置したままで閉塞皿（３３）の清掃は困難である。
【０００６】
本発明は、『本体ケース内にガスバーナが収容されていると共に、前記本体ケースの上方開放部は天板によって閉塞されており、前記ガスバーナの燃焼部に対応する前記天板の所定位置には開口が形成されているガスコンロ』において、ガスコンロの上面の清掃を容易とすることを課題とする。
【０００７】
【課題を解決するための手段】
＊１項
上記課題を解決するための本発明の技術的手段は、『前記開口は覆い蓋によって閉塞され、
前記覆い蓋は、排気孔が設けられている開孔領域と、前記開孔領域の周辺に位置し且つ複数の鍋支持用隆起部が形成されている非開孔領域とからなり、
前記開孔領域は前記鍋支持用隆起部の上面よりも上方へ突出させない構成とした』ことである。
上記技術的手段は次のように作用する。
天板上の前記開口を閉塞させる覆い蓋は、開孔領域とその周辺に配設されている非開孔領域とからなり、前記開孔領域が覆い蓋の略中央に位置し且つ前記非開孔領域の周縁部分が天板の開口周縁に係止可能な構成であれば、これらは、一体的に構成されていても、又は、別体に構成されたものを組み合わせる構成としてもどちらでも採用可能である。使用の際には、前記非開孔領域に形成した鍋支持用隆起部上に、鍋等の調理器が載置される。開孔領域は前記鍋支持用隆起部の上面よりも上方に突出しないように設定されているから、使用の際に前記開孔領域が邪魔になることなく、調理器を、前記鍋支持用隆起部の上に確実に載置することができる。このとき、開孔領域は、前記調理器の底の略中央に対応する。開孔領域には多数の排気孔が形成されているから、ガスバーナの燃焼部からの燃焼排気が前記排気孔から外部へ排出され、前記調理器の底の中央に吹き当たる。これにより、前記調理器は加熱されると共に、燃焼排気は、前記鍋支持用隆起部間に形成される排気通路を通って外部へ排出される。このように、前記覆い蓋全体が天板の開口を閉塞させる閉塞皿として機能すると共に、前記鍋支持用隆起部が、従来の五徳爪として機能することとなる。又、開孔領域は従来のガスバーナの燃焼部の上方をカバーするバーナカバーとして機能する。
【０００８】
＊２項
上記１項において、『前記非開孔領域に、前記覆い蓋の最低域となる周囲低部が前記開孔領域を取り囲むように形成されている』ものでは、使用時において、覆い蓋の上面に流れ込んで来る煮こぼれ等は、前記周囲低部に溜まり、開孔領域の上面には到達しない。
【０００９】
＊３項
上記１項又は２項において、『前記鍋支持用隆起部は、前記開孔領域の周辺近傍から前記覆い蓋の外周端にまで延びる土手状に構成されている』ものでは、前記非開孔領域の半径方向に沿った略全域に、土手状に構成された鍋支持用隆起部が所定の間隔ごとに複数本突設される構成としたから、底の直径が前記覆い蓋の直径以上の鍋等の調理器では、前記覆い蓋の外周端近傍に形成されている鍋支持用隆起部上に載置されて使用することができ、底の直径が前記覆い蓋の直径よりも小さい調理器では、それよりも内側に位置する鍋支持用隆起部上に調理器を載置して使用することができる。どちらの場合でも、土手状の鍋支持用隆起部間を流れて、排気孔からの燃焼排気が排出される。
【００１０】
＊４項
上記各項において、『前記天板の前記開口の周縁全域には段部が形成されており、前記段部上に、前記覆い蓋の周縁部分が載置されると共に、前記段部の高さは、前記周縁部分の肉厚に略一致する』ものでは、前記覆い蓋の周縁部分を前記段部に設置すると、前記天板と前記周縁部分の上面との間に生じる段差が小さくなるように覆い板を設置することができる。
【００１１】
＊５項
上記１項から３項のいずれかにおいて、『前記天板はガラス等のセラミックの板材からなり、
前記開口の周縁には、前記開口縁上面を覆う上板と、開口内周面を覆う内板と、開口縁下面を覆う下板と、前記開口内に水平に延びる支持板とからなる保護リングが周設され、
前記覆い蓋の周縁部分を前記支持板に係止させたとき、前記鍋支持用隆起部が前記保護リングの最上面よりも上方へ突出するように設定されている』ものでは、前記支持板に覆い蓋の周縁部分が載置されて使用される。前記支持板に載置させた状態にて、前記覆い板の鍋支持用隆起部は保護リングの最上面よりも上方へ突出する寸法関係に設定されていることから、前記鍋支持用隆起部に前記覆い蓋の直径以上の鍋等の調理器を置いた場合でも、前記鍋底と前記上板との間に隙間が生じ、燃焼排気の通気路が形成されることとなる。又、天板が、前記覆い蓋を係止させるための段部を形成しにくいガラス等のセラミック材で構成されている場合でも、開口周縁を保護する保護リングにより、前記支持板を前記段部として機能させることができる。
【００１２】
【発明の効果】
本発明は上記構成であるから次の特有の効果を有する。
上記１項のものでは、従来の五徳爪と閉塞皿とを覆い蓋で兼用できるようにしたから、それで天板の開口を閉塞させた使用状態においては、ガスコンロの天板上の意匠がシンプルになり、全体の凹凸度合いも小さくなる。これにより、前記覆い蓋を含んだガスコンロ上面全体の清掃が容易となる。
【００１３】
２項のものでは、上記効果に加えて、煮こぼれ等が生じても、周囲低部に溜まり、開孔領域の排気孔にまで達することがないから、前記煮こぼれ等で前記排気孔が詰まる不都合がないという効果がある。
【００１４】
３項のものでは、鍋支持用隆起部は、覆い蓋の開孔領域の周辺部から外周端に向かって延長する土手状に形成されているから、調理器の大きさに関係なく、鍋支持用隆起部で調理器の底を支持することができる上に、燃焼排気を外方へ確実に排出することができる。
【００１５】
４項のものでは、ガラス等のセラミックの板材からなる天板の開口周縁が保護リングによって保護されると共に、覆い蓋は、その周縁部分が支持板に支持された状態で、前記保護リング内に収容されるから、前記保護リング内に位置決めされた配設態様となる。よって、清掃の際に、覆い蓋が天板に対してずれる不都合がないから、一層容易な清掃が可能となるといった効果がある。このとき、保護リングの最上面と覆い蓋の周縁部分の上面との段差をほとんど生じないようにしておけば、保護リングとそれに続く覆い蓋との清掃がさらに容易となる。又、覆い蓋を係止させるための段部を開口の周縁に形成する必要がないから、ガラス板等のように、開口周縁に段部を形成させにくい材質の板材でも、覆い蓋が採用される形式のガスコンロの天板として採用可能となる。
【００１６】
５項のものでは、開口周縁に設けた段部に覆い蓋の周縁部分を載置することにより、天板の上面と覆い蓋の周縁部分とを略面一状に構成することができるようにしたから、天板と覆い蓋とを連続して清掃することができ、一層容易な清掃作業が可能となる。
【００１７】
【発明の実施の形態】
次に、上記した本発明の実施の形態を図面に従って詳述する。
本発明の実施の形態のガスコンロは、図１に示すように、一対のガスバーナ（２１）が左右に収容されている略長方体状の箱体である本体ケース（２）の上方開放部を天板（２０）によって閉塞させた形式のテーブルコンロに実施したものであり、前記ガスバーナ（２１）に対応する前記天板（２０）の各位置には、円形の開口（２２）が左右に並列されている。前記ガスバーナ（２１）の各配設部の間には、魚焼き用のグリル部（２３）が配設されており、前記本体ケース（２）の前面中央には、前記グリル部（２３）の扉が設けられていると共に、その両側には、ガスバーナ（２１）及びグリル部（２３）の燃焼操作用の操作部（２４）（２４）が設けられている。
【００１８】
前記開口（２２）の周縁には、図２に示すように、内方及び上方に開放する段部（２５）が形成されている。
前記ガスバーナ（２１）は、同図に示すように、ベンチュリ（２１ａ）と、前記ベンチュリ（２１ａ）の下流側に配設されているバーナボディ（２１ｂ）と、前記バーナボディ（２１ｂ）の上端内周から突出する炎孔部（２９）とから構成されたブンゼン式の内炎バーナである。
【００１９】
一方、前記バーナボディ（２１ｂ）の内周下部に周設された環状フランジ（４６）には、汁受皿（４８）の外周縁が上方から係止されていると共に、前記汁受皿（４８）の中央にはつまみ（４７）が起立している。後述する覆い蓋（１）を取り外して、前記つまみ（４７）を持ち上げると、汁受皿（４８）を、前記炎孔部（２９）の中央を通過させて天板（２０）の外へ取り出すことができる。尚、前記環状フランジ（４６）には複数の透孔（４６ａ）が貫通している。
【００２０】
前記ベンチュリ（２１ａ）のガス供給口（２８）には、燃料ガス供給用のノズル（図示せず）が差し込まれており、前記ベンチュリ（２１ａ）内で、燃料ガスと一次空気とが混合されて、バーナボディ（２１ｂ）へ送られ、炎孔部（２９）で二次空気と混合されて燃焼するように構成されている。
【００２１】
前記ガスバーナ（２１）の炎孔部（２９）の上方には、燃焼部（２１０）を包囲し且つ、上方及び下方に開放する包囲筒（２６）が設けられている。前記包囲筒（２６）の下方開放端部は、炎孔部（２９）に間隙（Ｇ）を介して遊嵌する大きさに設定されており、前記二次空気は、前記間隙（Ｇ）と前記透孔（４６ａ）とから供給されることにより、前記包囲筒（２６）内は燃焼室となる。
【００２２】
又、包囲筒（２６）の上端外周には、前記天板（２０）の段部（２５）に係止させるための係止フランジ（２７）が延長している。
尚、包囲筒（２６）を構成する材料としては、鋳物、真鋳等の金属の他、セラミック等が採用可能である。
【００２３】
次に、前記開口（２２）を閉塞させる覆い蓋（１）について説明する。
覆い蓋（１）は、前記開口（２２）を閉塞させる大きさのセラミック製の円盤であり、図３に示すように、中央部を構成し且つ断面略円弧状に隆起させた開孔領域（１１）と、前記開孔領域（１１）の周縁に連続し且つ外方に向かって徐々に上昇する皿状に形成された非開孔領域（１２）とから一体的に構成されており、前記非開孔領域（１２）の外周縁部は、水平に延長させてフランジ部（１３）となっている。前記フランジ部（１３）の外径（覆い蓋（１）の直径に一致する。）は、前記天板（２０）の開口（２２）の周縁に設けられた段部（２５）の外径に略一致するように設定されており、前記フランジ部（１３）を前記段部（２５）に載置する態様で覆い蓋（１）は、天板（２０）にセットされる。
【００２４】
前記開孔領域（１１）には多数の排気孔（１０）が貫通していると共に、前記フランジ部（１３）を含む前記非開孔領域（１２）には、開孔領域（１１）を中心とした回転対称の曲線からなる土手状の鍋支持用隆起部（１５）が、周方向に等間隔で複数本形成されている。
【００２５】
前記鍋支持用隆起部（１５）は、前記開孔領域（１１）の周辺からフランジ部（１３）の外周縁に至る前記非開孔領域（１２）の半径方向の略全域に、全体にカーブを描くように緩やかに突出するように形成されており、前記鍋支持用隆起部（１５）の形成域のうち、前記非開孔領域（１２）の中程からフランジ部（１３）に至る範囲に形成されている鍋支持用隆起部（１５）の上面（頂部）は、前記開孔領域（１１）の頂部よりも高く位置するように設定されている。又、フランジ部（１３）を段部（２５）に係止させた状態にて、フランジ部（１３）に形成されている鍋支持用隆起部（１５）は、天板（２０）の上面よりも上方に突出する高さに設定されている。
【００２６】
フランジ部（１３）を段部（２５）に係止させると、図２に示すように、ガスバーナ（２１）の燃焼部（２１０）の上方に開孔領域（１１）が対応した状態で、開口（２２）は覆い蓋（１）によって全域的に閉塞される。
【００２７】
尚、前記段部（２５）には、上記したように、包囲筒（２６）の係止フランジ（２７）が先に係止されており、厳密には、フランジ部（１３）は、前記係止フランジ（２７）の上面に重なって載置される態様となる。
【００２８】
この閉塞状態において、最も高く位置するのは、前記フランジ部（１３）に形成された鍋支持用隆起部（１５）の上面であり、最も低い位置にあるのは、前記開孔領域（１１）の周縁部分の周囲低部（１６）であるが、その凹凸度合いは緩やかである。これは、ガスバーナ（２１）から吐出される燃料ガスの全部又はほとんどは前記包囲筒（２６）内で燃焼するから、既述従来のもののように調理器の底とコンロ上面との間に二次空気確保用の大きな間隙を設ける必要がないからであり、これにより、覆い蓋（１）は全体に著しい段差のない浅い皿状に形成することができる。よって、前記フランジ部（１３）を、前記段部（２５）内に収容されるように天板（２０）にセットすることによって、前記覆い蓋（１）は天板（２０）に略密着状態に配設されることとなる。
【００２９】
覆い蓋（１）を天板（２０）に配設させた状態において、鍋等の調理器（４）を覆い蓋（１）の上に載置させると、最も高く位置するのは、上記したように、フランジ部（１３）に形成されている鍋支持用隆起部（１５）の上面であるから、前記調理器（４）の底径が前記覆い蓋（１）の直径よりも大きい場合では、図２の二点鎖線に示すように、前記調理器（４）は、フランジ部（１３）上の鍋支持用隆起部（１５）に載置されて支持される。
【００３０】
又、前記覆い蓋（１）の直径よりも小さい底径を有する調理器（４０）の場合では、同図の一点鎖線に示すように、前記非開孔領域（１２）に形成されている鍋支持用隆起部（１５）であって、前記開孔領域（１１）の頂部よりも高く位置する部分に載置させることができる。
【００３１】
このように、鍋支持用隆起部（１５）は従来のコンロの五徳爪として機能することとなる。又、前記非開孔領域（１２）は、従来のコンロの閉塞皿として機能する態様となり、少量の煮こぼれならば、前記周囲低部（１６）に溜まると共に焼却されることとなり、排気孔（１０）が詰まることもない。さらに、包囲筒（２６）で囲まれているガスバーナ（２１）の燃焼部（２１０）の上方は、覆い蓋（１）の開孔領域（１１）によって覆われる態様となることから、前記開孔領域（１１）は、従来のコンロにはなかったバーナカバーとして機能することとなる。
【００３２】
鍋支持用隆起部（１５）に調理器（４）（４０）を載置させて、ガスバーナ（２１）を点火させると、内周炎孔部（２９）から噴出する炎によって包囲筒（２６）内が高温になり、そのときの燃焼排気が、開孔領域（１１）の排気孔（１０）から上方へ噴出し、調理器（４）（４０）の底部を加熱する。さらに、この実施の形態のものでは、非開孔領域（１２）に上記したような複数本の鍋支持用隆起部（１５）が形成されており、これら鍋支持用隆起部（１５）間には、螺旋状の排気溝（１４）が形成されることとなるから、前記燃焼排気は前記排気溝（１４）に沿って、外方へ排出されていく。これにより、調理器（４）の底部は全域的に加熱される。
【００３３】
上記実施の形態のものでは、五徳と閉塞皿との機能を兼用する覆い蓋（１）をガスコンロの天板（２０）の上面に略密着させた状態で配設できるようにし、前記五徳として機能させる鍋支持用隆起部（１５）は、緩やかに突出する態様としたから、前記覆い蓋（１）を含む天板（２０）全体の凹凸度合いが少なくなる。よって、ガスコンロの上面を清掃する際に、天板（２０）と覆い蓋（１）とを連続して拭くことができ、清掃が容易となる。
【００３４】
図４に示すものは、他の実施の形態のガスコンロの開口周縁の拡大断面図であり、天板（２０）の開口（２２）の周縁に、保護リング（５）を設ける構成としたものである。
【００３５】
保護リング（５）は、天板（２０）の開口（２２）の周縁に、上面側から配設される上リング（５１）と、下面側から配設される下リング（５２）とからなり、前記上リング（５１）は、前記開口（２２）の周縁の天板（２０）の上面にパッキン（５０ａ）を介して被覆している上板（５１ａ）と、上板（５１ａ）の内周縁から垂下させた内板（５３）と、前記内板（５３）の下端に連結され且つ開口（２２）内へ水平に突出する支持板（５５）とから構成されており、前記下リング（５２）は、開口（２２）の周縁の下面をパッキン（５０ｂ）を介して被覆している下板（５２ａ）と、前記下板（５２ａ）の内周縁から上方へ連続し且つ前記開口（２２）の内周面を被覆する内板（５４）とから断面略Ｌ字状に構成されている。
【００３６】
前記上リング（５１）の内板（５３）の所定位置には、複数の貫通孔（５６）が形成されており、前記貫通孔（５６）に対応する前記下リング（５２）の内板（５４）の所定位置には、切起片（５７）が形成されている。その切起片（５７）が、前記貫通孔（５６）に係合することにより、前記上リング（５１）と前記下リング（５２）とは、天板（２０）の開口（２２）の周縁に取り付けられることとなる。
【００３７】
この実施の形態のものでは、前記支持板（５５）が上記実施の形態の段部（２５）として機能することとなり、前記支持板（５５）に、包囲筒（２６）の係止フランジ（２７）及び覆い蓋（１）のフランジ部（１３）が載置される。尚、フランジ部（１３）を載置させた状態にて、フランジ部（１３）に設けられている鍋支持用隆起部（１５）は、上リング（５１）の上板（５１ａ）の上面よりも上方へ突出するように、相互の寸法関係は設定されているものとする。
【００３８】
このものでは、天板（２０）がガラス等のセラミックの板材からなり、その開口（２２）の周縁に段部（２５）を形成させにくい場合において有効である上に、前記ガラス天板の開口（２２）の周辺部の保護にもなる。
【００３９】
上記各実施の形態のものでは、覆い蓋（１）は、開口（２２）内に落とし込まれた状態で、段部（２５）又は支持板（５５）に係止される配設態様としたから、天板（２０）上において位置決めされた状態にあり、清掃中に覆い蓋（１）が不用意にずれたり、外れたりする不都合がない。
【００４０】
尚、図５に示すように、包囲筒（２６）の係止フランジ（２７）を直接天板（２０）の開口（２２）の周縁部に係止するようにしても良く、この場合では、覆い蓋（１）のフランジ部（１３）の外周端は、係止フランジ（２７）の外周端に一致するかそれ以上の大きさに設定しておくことが望ましい。係止フランジ（２７）の周縁よりもフランジ部（１３）を大きく設定しておくことにより、係止フランジ（２７）が天板（２０）上に露出する見苦しさが解消される。
【００４１】
又、このものにおいても、鍋支持用隆起部（１５）は、フランジ部（１３）の外周縁に達するまで延長形成されているものとする。このように、覆い蓋（１）の外周端まで鍋支持用隆起部（１５）を形成して、天板（２０）の上面と鍋支持用隆起部（１５）との段差を強調することにより、覆い蓋（１）のフランジ部（１３）と天板（２０）の上面との間の段差が目立ちにくくすることができる。
【００４２】
上記各実施の形態の覆い蓋（１）は、セラミック製としたが、メタリックや他の材質で構成することも可能であり、又、開孔領域（１１）と非開孔領域（１２）とを別体に構成して組み付けて使用できるようにしても良い。
【００４３】
又、上記実施の形態のものでは、非開孔領域（１２）の略全域に、鍋支持用隆起部（１５）を設ける構成としたが、前記鍋支持用隆起部（１５）は、フランジ部（１３）にのみ形成するようにしても良い。
尚、包囲筒（２６）を設けておくことにより、ガスバーナ（２１）は、内炎式のものでも外炎式のものでもどちらでも採用可能である。
【００４４】
さらに、上記実施の形態のものでは、テーブルコンロに実施しているが、システムキッチンで使用されるドロップインコンロの天板に実施してもよいことは言うまでもない。
【図面の簡単な説明】
【図１】本発明の実施の形態のガスコンロの一部分解斜視図。
【図２】本発明の実施の形態のガスコンロの要部拡大断面図。
【図３】本発明の実施の形態のガスコンロに採用する覆い蓋の斜視図。
【図４】本発明の他の実施の形態のガスコンロの開口周縁部分を示す要部拡大断面図。
【図５】本発明のさらに他の実施の形態のガスコンロの開口周縁部分を示す要部拡大断面図。
【図６】従来のガスコンロの一部分解斜視図。
【符号の説明】
（１）  ・・・・・・・覆い蓋
（１０）・・・・・・・排気孔
（１１）・・・・・・  開孔領域
（１２）・・・・・・・非開孔領域
（１３）・・・・・・・フランジ部
（１５）・・・・・・・鍋支持用隆起部
（２）  ・・・・・・・本体ケース
（２０）・・・・・・・天板
（２１）・・・・・・・ガスバーナ
（２２）・・・・・・  開口
（２１０）  ・・・・・  燃焼部
【図１】
2005009791.tif 000003
【図２】
2005009791.tif 000004
【図３】
2005009791.tif 000005
【図４】
2005009791.tif 000006
【図５】
2005009791.tif 000007
【図６】
2005009791.tif 000008